(57)【要約】【課題】メモリから所望する測定時間で測定されたデータを簡単に読出して表示する。【解決手段】電子血圧計のメモリ１３には過去の最高および最低血圧データＳＢＰおよびＤＢＰが、測定時間データＴと関連付けされて格納されている。被測定者が、月更新スイッチ２３を操作する毎に矢印３１〜３３で示すように月毎の代表の血圧データが読出されて表示される。日更新スイッチ２４を操作する毎に矢印３４〜３６で示すように日毎の代表の血圧データが読出されて表示される。個別スイッチ２５を操作する毎に矢印３７〜３９で示すように１日のうちの測定時間順に血圧データが読出されて表示される。【選択図】図３
2007130069.tif 000002
【特許請求の範囲】
【請求項１】
血圧測定部位に装着するカフと、前記カフに加える圧力を調整する加圧・減圧手段と、前記加圧・減圧手段により調整される前記カフ内の圧力を検出する圧力検出手段と、前記圧力検出手段による検出圧力に基づき血圧を算出する血圧算出手段とを有する血圧測定手段と、
メモリと、
表示部と、
前記血圧算出手段により算出された血圧のデータと、当該血圧データの血圧が測定された時間を示す測定時間データとを関連付けて前記メモリに格納する格納手段と、
所望の時間を指定するために操作される記憶操作部と、
前記記憶操作部の操作内容に基づき、前記所望時間を示す前記測定時間データに関連付けされた前記血圧データを、前記メモリから検索して読出す読出手段と、
前記読出手段により読出された前記血圧データを前記表示部に表示する表示手段と、を備える、電子血圧計。
【請求項２】
前記測定時間データは測定された月を示すデータを含み、
前記記憶操作部は、操作される毎に、順次に、各月を示す前記測定時間データに関連付けされた１つ以上の前記血圧データのうちの代表の前記血圧データを検索して読出すための月操作部を含む、請求項１に記載の電子血圧計。
【請求項３】
前記表示手段は、さらに、前記代表の血圧データに関連付けされた前記測定時間データの前記月を示すデータを前記表示部に所定態様で表示する、請求項２に記載の電子血圧計。
【請求項４】
前記測定時間データは測定された月と日を示すデータを含み、
前記記憶操作部は、操作される毎に、順次に、所定月の各日を示す前記測定時間データに関連付けされた１つ以上の前記血圧データのうちの代表の前記血圧データを検索して読出すための日操作部を含む、請求項１に記載の電子血圧計。
【請求項５】
前記表示手段は、さらに、前記代表の血圧データに関連付けされた前記測定時間データの前記所定月の日を示すデータを前記表示部に所定態様で表示する、請求項４に記載の電子血圧計。
【請求項６】
前記記憶操作部は、操作される毎に、所定月日を示す前記測定時間データに関連付けされた１つ以上の前記血圧データを、順次に、検索して読出すための個別操作部を含む、請求項１に記載の電子血圧計。
【請求項７】
前記測定時間データは測定された月と日と時分を示すデータを含み、
前記表示手段は、さらに、検索して読出される前記血圧データに関連付けされた前記測定時間データの前記時分を示すデータを前記表示部に所定態様で表示する、請求項６に記載の電子血圧計。
【請求項８】
前記測定時間データは測定された月と日と時分を示すデータを含み、
前記記憶操作部は、操作される毎に、前記読出手段を、
各月を示す前記測定時間データに関連付けされた１つ以上の前記血圧データのうちの代表の前記血圧データを検索して読出すための月操作モードと、
操作される毎に、順次に、所定月の各日を示す前記測定時間データに関連付けされた１つ以上の前記血圧データのうちの代表の前記血圧データを検索して読出すための日操作モードと、
操作される毎に、所定月日を示す前記測定時間データに関連付けされた１つ以上の前記血圧データを検索して読出すための個別操作モード、のいずれかの動作モードに選択的に切換える、請求項１に記載の電子血圧計。
【請求項９】
前記表示手段は、さらに、前記読出手段の動作モードが前記月操作モードであるとき、前記代表の血圧データに関連付けされた前記測定時間データの前記月を示すデータを前記表示部に所定態様で表示する、請求項８に記載の電子血圧計。
【請求項１０】
前記表示手段は、さらに、前記読出手段の動作モードが前記日操作モードであるとき、前記代表の血圧データに関連付けされた前記測定時間データの前記所定月の日を示すデータを前記表示部に所定態様で表示する、請求項８に記載の電子血圧計。
【請求項１１】
前記測定時間データは測定された月と日と時分を示すデータを含み、
前記表示手段は、さらに、前記読出手段の動作モードが前記個別操作モードであるとき、検索して読出される前記血圧データに関連付けされた前記測定時間データの前記時分を示すデータを前記表示部に所定態様で表示する、請求項８に記載の電子血圧計。
【請求項１２】
前記記憶操作部は、
前記所望の時間を指定するためにカレンダーを画面に表示するカレンダー表示部を含み、
前記カレンダー表示部により表示された前記カレンダーにおいて指定された月を示す前記測定時間データに関連付けされた１つ以上の前記血圧データのうちの代表の前記血圧データを検索して読出すことを特徴とする、請求項１に記載の電子血圧計。
【請求項１３】
前記記憶操作部は、
前記所望の時間を指定するためにカレンダーを画面に表示するカレンダー表示部を含み、
前記カレンダー表示部により表示された前記カレンダーにおいて指定された月日を示す前記測定時間データに関連付けされた１つ以上の前記血圧データのうちの代表の前記血圧データを検索して読出すことを特徴とする、請求項１に記載の電子血圧計。
【請求項１４】
前記画面にはカーソルが表示されて、
前記画面の前記カーソルを移動操作することにより、表示された前記カレンダーにおいて前記所望の時間を指定することを特徴とする、請求項１２または１３に記載の電子血圧計。
【請求項１５】
前記記憶操作部は、前記画面に関連したタッチパネルを含み、
前記タッチパネルを介した外部操作により、前記表示される前記カレンダーにおいて前記所望の時間を指定することを特徴とする、請求項１２または１３に記載の電子血圧計。
【請求項１６】
時間を計時するタイマをさらに備え、
前記代表の血圧データは、関連付けられた前記測定時間データが、前記タイマが計時する現在時間に最も近い時間を示すことを特徴とする、請求項２または４または８または１２または１３に記載の電子血圧計。
【請求項１７】
血圧測定部位に装着するカフと、前記カフに加える圧力を調整する加圧・減圧手段と、前記加圧・減圧手段により調整される前記カフ内の圧力を検出する圧力検出手段と、前記圧力検出手段による検出圧力に基づき血圧を算出する血圧算出手段とを有する血圧測定手段と、
メモリと、
表示部と、
前記血圧算出手段により算出された血圧のデータと、当該血圧データの血圧が測定された時間を示す測定時間データとを関連付けて前記メモリに格納する格納手段と、を備える電子血圧計におけるデータ表示方法であって、
所望の時間を指定するために操作される記憶操作ステップと、
前記記憶操作ステップによる操作内容に基づき、前記所望時間を示す前記測定時間データに関連付けされた前記血圧データを、前記メモリから検索して読出す読出ステップと、
前記読出ステップにより読出された前記血圧データを前記表示部に表示する表示ステップと、を備える、電子血圧計におけるデータ表示方法。
【発明の詳細な説明】
【技術分野】
【０００１】
この発明は電子血圧計と電子血圧計におけるデータ表示方法に関し、特に、記憶された多量の血圧測定結果のデータのうちから、所望する時間に測定して得られた測定結果データを検索して表示する電子血圧計と電子血圧計におけるデータ表示方法に関する。
【背景技術】
【０００２】
近年、高血圧を要因とする生活習慣病は一般的であり、健康管理の指標として血圧値が用いられ、その血圧管理は重要であり、そのための血圧計測が行なわれている。従来の技術としては以下に示すようなものがある。
【０００３】
特許文献１には、押しボタン制御回路の記憶内容ボタンを設け、それにより被測定者の以前の数回の測定データを呼び戻すことができるデジタル自動記憶型血圧計が示される。また、特許文献２には、血圧値、識別データ、測定日時を識別しておき、同一識別データの付与された血圧値のみ選択表示する機能と、測定状況に応じたトレンドグラフを表示する機能を有する装置が示される。
【特許文献１】登録実用新案第３０２０４９７号公報
【特許文献２】特開平４−２２１５２８号公報
【発明の開示】
【発明が解決しようとする課題】
【０００４】
上述の特許文献１と２に開示の構成では、容量の大きいメモリを備えて、大量の測定データをメモリに記憶することで、血圧管理に十分なデータをメモリに準備しておくことができる。メモリから特定の日付の測定データを読出して表示するためには、呼出ボタンを押下する。呼出ボタンを押下すると、メモリから測定データとその測定の日付を示す日付データとが読出されて表示部に表示される。被測定者は、表示された測定データが特定の日付を指示していないと判別すると、呼出ボタンを押下する。呼出ボタンを押下する毎に、次位の測定データと日付のデータがメモリから読出されて表示される。
【０００５】
このように、従来は、メモリから特定の日付の測定データを呼出すためには、呼出ボタンの押下と表示データの確認とを特定の日付の測定データが呼出されるまで繰返す必要があり、測定データ呼出の操作性に優れなかった。
【０００６】
それゆえにこの発明の目的は、メモリから所望する測定時間で測定されたデータを簡単に読出して表示することのできる電子血圧計と電子血圧計におけるデータ表示方法を提供することである。
【課題を解決するための手段】
【０００７】
この発明のある局面に従うと、電子血圧計は、血圧測定部位に装着するカフと、カフに加える圧力を調整する加圧・減圧手段と、加圧・減圧手段により調整されるカフ内の圧力を検出する圧力検出手段と、圧力検出手段による検出圧力に基づき血圧を算出する血圧算出手段とを有する血圧測定手段と、メモリと、表示部と、血圧算出手段により算出された血圧のデータと、当該血圧データの血圧が測定された時間を示す測定時間データとを関連付けてメモリに格納する格納手段と、所望の時間を指定するために操作される記憶操作部と、記憶操作部の操作内容に基づき、所望時間を示す測定時間データに関連付けされた血圧データを、メモリから検索して読出す読出手段と、読出手段により読出された血圧データを表示部に表示する表示手段と、を備える。
【０００８】
したがって、この電子血圧計によれば、所望の時間を指定するために被測定者により記憶操作部が操作されると、その操作内容に基づき、読出手段は所望時間を示す測定時間データに関連付けされた血圧データを、メモリから検索して読出し、表示手段を介して表示する。したがって、被測定者は、読出しのための操作、データ読出、表示という一連の手順を何度も繰返すことなく、所望時間を指定する操作をするだけで、メモリに格納された多量の血圧データのうちから、所望時間に測定された血圧データを選択的に読出し表示させることができる。
【０００９】
好ましくは、測定時間データは測定された月を示すデータを含み、記憶操作部は、操作される毎に、順次に、各月を示す測定時間データに関連付けされた１つ以上の血圧データのうちの代表の血圧データを検索して読出すための月操作部を含む。
【００１０】
したがって、被測定者は操作する毎に、各月の代表の血圧データを読出し表示させることができる。
【００１１】
好ましくは、表示手段は、さらに、代表の血圧データに関連付けされた測定時間データの月を示すデータを表示部に所定態様で表示する。したがって、表示されている血圧データが、いずれの月を代表する血圧データであるかを容易に認識できる。
【００１２】
好ましくは、測定時間データは測定された月と日を示すデータを含み、記憶操作部は、操作される毎に、順次に、所定月の各日を示す測定時間データに関連付けされた１つ以上の血圧データのうちの代表の血圧データを検索して読出すための日操作部を含む。
【００１３】
したがって、被測定者は操作する毎に、所定月の日毎の代表の血圧データを読出し表示させることができる。
【００１４】
好ましくは、表示手段は、さらに、代表の血圧データに関連付けされた測定時間データの所定月の日を示すデータを表示部に所定態様で表示する。したがって、表示されている血圧データが、所定月のいずれの日を代表する血圧データであるかを容易に認識できる。
【００１５】
好ましくは、記憶操作部は、操作される毎に、所定月日を示す測定時間データに関連付けされた１つ以上の血圧データを、順次に、検索して読出すための個別操作部を含む。
【００１６】
したがって、被測定者は操作する毎に、所定月日に測定して格納された血圧データをメモリから順次に読出し表示させることができる。
【００１７】
好ましくは、測定時間データは測定された月と日と時分を示すデータを含み、表示手段は、さらに、検索して読出される血圧データに関連付けされた測定時間データの時分を示すデータを表示部に所定態様で表示する。
【００１８】
したがって、表示されている血圧データが測定されたのは、その日のいずれの時間であるかを容易に認識できる。
【００１９】
好ましくは、測定時間データは測定された月と日と時分を示すデータを含み、記憶操作部は、操作される毎に、読出手段の動作モードを、各月を示す測定時間データに関連付けされた１つ以上の血圧データのうちの代表の血圧データを検索して読出すための月操作モードと、操作される毎に、順次に、所定月の各日を示す測定時間データに関連付けされた１つ以上の前記血圧データのうちの代表の血圧データを検索して読出すための日操作モードと、操作される毎に、所定月日を示す測定時間データに関連付けされた１つ以上の血圧データを検索して読出すための個別操作モード、のいずれかに選択的に切換える。
【００２０】
したがって、被測定者は記憶操作部を操作する毎に、メモリからの血圧データの読出しのための読出手段の動作モードを、上述の月操作モードと、日操作モードと、個別操作モードとのいずれかに選択的に切換えることができるので、所望の測定時間に関連付けされた血圧データをメモリから速やかに読出し表示させることができる。
【００２１】
好ましくは、記憶操作部は、所望の測定時間を指定するためにカレンダーを画面に表示するカレンダー表示部を含み、カレンダー表示部により表示されたカレンダーにおいて指定された月を示す測定時間データに関連付けされた１つ以上の血圧データのうちの代表の血圧データを検索して読出す。
【００２２】
好ましくは、カレンダー表示部により表示されたカレンダーにおいて指定された月日を示す測定時間データに関連付けされた１つ以上の血圧データのうちの代表の血圧データが検索して読出される。
【００２３】
したがって、表示されるカレンダー上において所望の時間を指定できるので、記憶操作が簡単となる。
【００２４】
好ましくは、画面にはカーソルが表示されて、画面のカーソルを移動操作することにより、表示されたカレンダーにおいて所望の時間を指定する。
【００２５】
好ましくは、記憶操作部は、画面に関連したタッチパネルを含み、タッチパネルを介した外部操作により、表示されるカレンダーにおいて所望の時間を指定する。
【００２６】
したがって、表示されるカレンダー上において所望の時間を指定する操作を簡単にすることができる。
【００２７】
好ましくは、代表の血圧データは、関連付けられた測定時間データが、タイマが計時する現在時間に最も近い時間を示す。したがって、所望時間を指す時間データに関連付けされた血圧データが複数あった場合には、そのうちの最近に測定された血圧データが読出されて表示される。
【発明の効果】
【００２８】
本発明によれば、被測定者は、読出しのための操作、データ読出、表示という一連の手順を何度も繰返すことなく、所望時間を指定する操作をするだけで、メモリに格納された多量の血圧データのうちから、所望時間に測定された血圧データを選択的に読出し表示させることができる。
【発明を実施するための最良の形態】
【００２９】
以下、この発明の実施の形態について図面を参照して詳細に説明する。以下の説明では、同一の部品および構成要素には同一の符号を付してある。それらの名称および機能も同じである。したがって、それらについての詳細な説明は繰返さない。
【００３０】
（実施の形態１）
（構成）
電子血圧計のハードウェア構成が図１に示されて、概観は図２に示される。
【００３１】
図２を参照して本実施の形態に係る電子血圧計１は、被測定者の血圧測定部位に装着されて空気圧により加圧するためのカフ５と、血圧計本体とカフ５とを接続するエア管３とを備える。血圧計本体は被測定者が表示内容を確認可能なように設けられた表示部２および被測定者が外部から操作可能なように設けられた操作部４を備える。
【００３２】
操作部４は、電源スイッチ２０、加圧の開始、すなわち測定の開始を指示する測定スイッチ２１、時計設定スイッチ２２、記憶されたデータを呼出すために操作される月更新スイッチ２３、日更新スイッチ２４および個別スイッチ２５を有する。電源スイッチ２０は血圧計本体の電源をＯＮ／ＯＦＦするために操作される。測定スイッチ２１は血圧測定の開始または停止を指示するために操作される。月更新スイッチ２３、日更新スイッチ２４および個別スイッチ２５については後述する。
【００３３】
図１を参照して電子血圧計１はカフ５に内蔵されている空気袋６を介して検出される被測定部位の脈圧の変化を脈波の信号として出力するための圧力センサ７、圧力センサ７から出力される圧力を示す電圧信号を増幅する増幅回路８、空気袋６の加圧（空気圧）レベルを調整するためのポンプ９および弁１０、ポンプ９を駆動するポンプ駆動回路１１、弁１０の開閉を調整するための弁駆動回路１２、表示部２、メモリ１３、操作部４、計時動作して計時データ２５１を出力するタイマ１４、電源部１５、ならびにこれら各部を制御するＣＰＵ（Central Processing Unit）１６を含む。時計設定スイッチ２２の操作によりタイマ１４の計時データ２５１を設定することができる。
【００３４】
図３を参照してメモリ１３には、血圧測定毎に、測定結果データがレコードＲｉ（ｉ＝１、２、３、…ｍ）単位で測定時間の順番に従い格納される。レコードＲｉは、最高血圧（systolic blood pressure）を示す最高血圧データＳＢＰ、最低血圧（diastolic blood pressure）を示す最低血圧データＤＢＰ、脈拍数を示す脈拍数データＰＬＳおよび測定時間を示す時間データＴを含む。時間データＴは、測定時間の月を示すデータＤ１、日を示すデータＤ２、時を示すデータＤ３、および分を示すデータＤ４からなる。これらデータは、血圧測定がされる毎にメモリ１３に関連付けされて格納されればよく、レコードＲｉを用いた格納の形式に限定されない。なお、時間データＴは、タイマ１４により出力される計時データ２５１に基づき取得される。
【００３５】
（機能構成）
図４には、実施の形態１に係る電子血圧計１の機能構成が示される。電子血圧計１は、増幅回路８から与えられる電圧信号に基づき、最高血圧、最低血圧および脈拍数を算出するための血圧算出部２０１、血圧算出部２０１で算出されたデータ（最高血圧データＳＢＰ、最低血圧データＤＢＰおよび脈波数データＰＬＳ）と、タイマ１４から与えられる計時データ２５１とを入力し、これら入力データに基づきレコードＲｉを生成して，生成したレコードＲｉをメモリ１３に格納するメモリ格納部２１１、メモリ１３のデータを呼出すために操作されて、操作内容を示す操作信号２５２を出力する記憶操作部２２１、与えられる操作信号２５２と計時データ２５１に基づきメモリ１３からデータを読出すメモリ読出部２３１、メモリ読出部２３１から読出されたデータと記憶操作部２２１から与えられる操作信号２５２に基づき表示部２に当該データを表示するための表示制御部２４１を備える。図４のメモリ１３を除く他の各部は、回路として準備されてもよく、メモリ１３の所定領域に格納されたプログラムとして準備されてもよい。各部に対応のプログラムがＣＰＵ１６によりメモリ１３から読出されて実行されることにより、各部の機能が実現される。
【００３６】
記憶操作部２２１は、月更新スイッチ２３、日更新スイッチ２４および個別スイッチ２５を有する。
【００３７】
ユーザが月更新スイッチ２３、日更新スイッチ２４および個別スイッチ２５のそれぞれを操作すると、記憶操作部２２１は操作されたスイッチを指示する操作信号２５２をメモリ読出部２３１と表示制御部２４１に与える。メモリ読出部２３１は与えられる操作信号２５２とタイマ１４から与えられる計時データ２５１とに基づき、メモリ１３内のレコードＲｉを検索して、検索の結果、得られたレコードＲｉを表示制御部２４１に出力する。表示制御部２４１は、与えられる操作信号２５２に基づき、読出されたレコードＲｉを表示部２に表示する。
【００３８】
（測定手順）
電子血圧計１を用いた血圧測定動作について図５のフローチャートに従い説明する。図５のフローチャートに従うプログラムは、予めメモリ１３の所定領域に格納されており、ＣＰＵ１６によりメモリ１３から読出されて実行される。なお、電子血圧計１の電源スイッチ２０が操作されることにより、ＣＰＵ１６は電源部１５を制御して各部への電源供給をしていると想定する。
【００３９】
まず、被測定者はカフ５を測定部位に巻き付けて、測定スイッチ２１を操作するので（ステップＳＴ（以下、単にＳＴと略す）１）、ＣＰＵ１６は、電子血圧計１の初期化処理として、各部を制御して空気袋６内の空気を排気し、圧力センサ７の０ｍｍＨｇ補正を行なう（ＳＴ３）。
【００４０】
初期化処理が終了すると、ＣＰＵ１６は各部を制御して、空気袋６内の圧力を被測定者の最高血圧＋４０ｍｍＨｇ程度まで加圧し（ＳＴ５）、その後、徐々に空気袋６内の圧力を減圧していく（ＳＴ７）。この減圧過程において空気袋６内の圧力は圧力センサ７および増幅回路８で検出されるので、血圧算出部２０１は増幅回路８から出力される電圧信号に基づき血圧（最高血圧および最低血圧）値ならびに脈拍数を算出してＣＰＵ１６の内部メモリに一時的に格納するとともに（ＳＴ９）、表示制御部２４１は算出された血圧値および脈拍数を表示部２に表示する（ＳＴ１１）。血圧測定のための加圧・減圧の処理は従来の電子血圧計のそれと同様である。なお、ここでは血圧測定は減圧過程でするとしているが加圧過程で行なうようにしてよい。
【００４１】
メモリ格納部２１１は、血圧と脈拍の算出・表示が終了すると、与えられる計時データ２５１に基づき時間データＴを取得して、取得した時間データＴと、ＣＰＵ１６の内部メモリから読出した血圧（最高血圧および最低血圧）値ならびに脈拍数を示すデータＳＢＰ、ＤＢＰおよびＰＬＳからなるレコードＲｉを生成して、生成されたレコードＲｉをメモリ１３に格納する（ＳＴ１３）。これで、一連の血圧測定は終了する。
【００４２】
図５の手順では、時間データＴは血圧測定の時間として血圧測定終了時を指示するが、血圧測定の開始時を指示するデータであってもよい。
【００４３】
（血圧測定データの呼出手順）
図３のメモリ１３に格納された血圧測定データ（レコードＲｉ）は外部操作に従い呼出される（読出されて表示される）。記憶操作部２２１より与えられる操作信号２５２に基づく、メモリ読出部２３１の呼出操作について説明する。なお、ここでは、計時データ２５１は、７月２９日を指していると想定し、表示部２にはデータは表示されていないと想定する。
【００４４】
まず、月更新スイッチ２３が操作されると、矢印３１で示す操作信号２５２に基づき、メモリ読出部２３１は、最も新しい月（現在または最近の月）を示すデータＤ１の時間データＴを格納した１つ以上のレコードＲｉのうちから、最近の時間を示すデータＤ２〜Ｄ４の時間データＴを格納したレコードＲｉを検索して読出し、読出したレコードＲｉを表示制御部２４１に与える。たとえば、図３では、データＤ１が‘７月’を示すレコードＲ１〜Ｒ３のうち、最近の時間（現在の時間に最も近い時間）を指示するレコードＲ１が検索されて読出され、表示される。なお、メモリ読出部２３１は、与えられる計時データ２５１とレコードＲ１〜Ｒ３それぞれの時間データＴとを比較して、時間データＴの指示する時間が、計時データ２５１が指示する現在の時間と同じか否か、または最近の時間を示すか否かの判別をし、この判別結果に基づき、レコードＲ１を読出している。
【００４５】
続いて、月更新スイッチ２３が操作されると、矢印３２で示す操作信号２５２に基づき、メモリ読出部２３１は、表示部２に表示されているレコードＲ１のデータＤ１が指示する月の次に新しい月を示すデータＤ１の時間データＴを格納した１つ以上のレコードＲｉのうちから、最近の時間を示すデータＤ２〜Ｄ４の時間データＴを格納したレコードＲｉを検索して読出し、読出したレコードＲｉを表示制御部２４１に与える。図３では、表示部２に表示されているレコードＲ１のデータＤ１が指示する‘７月’の次に新しい月である‘６月’を示すレコードＲ４〜Ｒ７のうち、時間データＴが最近の時間を指示するレコードＲ４が読出されて表示される。
【００４６】
このように、月更新スイッチ２３が操作される毎に、表示部２に表示されるレコードＲｉは、月単位で過去のレコードＲｉに遡る。そして、遡った月毎に、当該月を指示するデータＤ１を有する１つ以上のレコードＲｉのうちから最近の時間を指示する時間データＴを有するレコードＲｉが選択的に読出されて表示される。
【００４７】
たとえば、月更新スイッチ２３を操作して、矢印３３で示す操作信号２５２により‘５月’のレコードＲ８が検索されて、表示部２に表示された状態で、日更新スイッチ２４が操作されたと想定する。日更新スイッチ２４の矢印３４で示す操作信号２５２に基づき、メモリ読出部２３１は、表示されているレコードＲｉが指示する‘５月’を示すデータＤ１を格納した１つ以上のレコードＲｉのうちから、最近の日を示すデータＤ２の１つ以上のレコードＲｉを特定する。そして特定されたレコードＲｉのうちから、最新の時分を示すデータＤ３とＤ４を有するコードＲｉを検索して表示制御部２４１に与える。図３では、データＤ１が‘５月’を示すレコードＲ８〜Ｒ１２のうち、時間データＴが最近の時間を指示するレコードＲ８が読出されて表示される。
【００４８】
続いて、日更新スイッチ２４が操作されると、矢印３５で示す操作信号２５２に基づき、メモリ読出部２３１は、表示部２に表示されているレコードＲ８が指示する‘５月’を示すデータＤ１を格納した１つ以上のレコードＲ８〜Ｒ１２のうちから、表示されているレコードＲ８のデータＤ２が示す日の次に新しい日を示すデータＤ２を格納した１つ以上のレコードＲｉを特定する。そして、特定したレコードＲｉのうちから、最近の時間を示す時間データＴを格納したレコードＲｉを検索して読出し、読出したレコードＲｉを表示制御部２４１に与える。図３では、レコードＲ９が読出されて表示される。
【００４９】
続いて、日更新スイッチ２４が操作されると、矢印３６で示す操作信号２５２に基づき、メモリ読出部２３１は、表示部２に表示されているレコードＲ９が指示する‘５月’を示すデータＤ１を格納したレコードＲ８〜Ｒ１２のうちから、レコードＲ９のデータＤ２が示す日の次に新しい日を示すデータＤ２を格納した１つ以上のレコードＲ１０〜Ｒ１２を特定する。そして特定したレコードＲ１０〜Ｒ１２のうちから、最近の時間を示す時間データＴを格納したレコードＲｉを検索して読出し、読出したレコードＲｉを表示制御部２４１に与える。図３では、レコードＲ１０が読出されて表示される。
【００５０】
このように、日更新スイッチ２４が操作される毎に、表示部２に表示されるレコードＲｉと同じ月を示すデータＤ１を有する１つ以上のレコードＲｉを、日単位で過去のレコードＲｉに遡る。そして、遡った日を指示する１つ以上のレコードＲｉのうちから最近の時間データＴを指示するレコードＲｉが選択的に読出されて表示される。
【００５１】
たとえば、日更新スイッチ２４を操作して、矢印３６で示す操作信号２５２により‘５月２８日’を指示するレコードＲ１０が検索されて、表示部２に表示された状態で、個別スイッチ２５が操作されたと想定する。矢印３７で示す個別スイッチ２５による操作信号２５２に基づき、メモリ読出部２３１は、表示されているレコードＲｉが指示する‘５月２８日’を示すデータＤ１とＤ２を有する１つ以上のレコードＲｉのうちから、最近の時間を示す時間データＴを格納したレコードＲｉを検索して読出し、読出したレコードＲｉを表示制御部２４１に与える。図３では、表示されているレコードＲ１０と同じ‘５月２８日’を示すデータＤ１とＤ２を有するレコードＲ１０〜Ｒ１２のうちから、データＤ３とＤ４が最近の時間を指示するレコードＲ１０が選択的に読出されて、表示される。
【００５２】
続いて、個別スイッチ２５が操作されると、矢印３８で示す操作信号２５２に基づき、メモリ読出部２３１は、表示されているレコードＲ１０の時間データＴが指示する時間の次に新しい時分を示す時間データＴを格納したレコードＲｉを検索して読出し、読出したレコードＲｉを表示制御部２４１に与える。図３では、レコードＲ１１が読出される。
【００５３】
レコードＲ１１が表示されている状態で、さらに個別スイッチ２５が操作されると、矢印３９で示す操作信号２５２に基づき、メモリ読出部２３１は、表示されているレコードＲ１０と同じ‘５月２８日’を示すデータＤ１とＤ２を有するレコードＲ１０〜Ｒ１２のうちから、表示されているレコードＲ１１のデータＤ２とＤ３が指示する時分の次に新しい時分を示すデータＤ２とＤ３を有するレコードＲｉを検索して読出し、読出したレコードＲｉを表示制御部２４１に与える。図３では、レコードＲ１２が読出されて表示される。
【００５４】
このように、個別スイッチ２５が操作される毎に、表示部２に表示されるレコードＲｉと同じ月日を指示するデータＤ１とＤ２を有する１つ以上のレコードＲｉについて、時分単位で過去のレコードＲｉに遡り選択的に読出して表示することができる。
【００５５】
図６（Ａ）〜（Ｉ）には、本実施の形態１における、メモリ１３に格納された血圧測定データ（レコードＲｉ）の呼出に伴う表示部２の表示の変化が示される。図６（Ａ）〜（Ｉ）では、レコードＲｉの最高血圧データＳＢＰ、最低血圧データＤＢＰ、脈拍数データＰＬＳおよび時間データＴは、表示制御部２４１により表示用のデータ６１〜６４にそれぞれ変換されて、表示部２に表示される。
【００５６】
まず月更新スイッチ２３が操作されてレコードＲ１がメモリ１３から読出されて表示制御部２４１により図６（Ａ）のように表示される。操作信号２５２はメモリ読出部２３１と並行して表示制御部２４１にも与えられるので、表示制御部２４１は、メモリ１３から読出されたレコードＲｉを、与えられる操作信号２５２に基づき表示する。このとき、時間データＴに対応のデータ６４は、操作信号２５２が、月更新スイッチ２３が操作されたことを指示していることに基づき、データＤ１の指す値の表示態様を他のデータの表示態様とは異ならせる。たとえば、ブリンク表示などする。
【００５７】
つづいて、月更新スイッチ２３が操作される毎に、レコードＲ１→Ｒ４→Ｒ８と順にメモリ１３から読出されて、表示部２では図６（Ａ）→図６（Ｂ）→図６（Ｃ）と変化する。図６（Ｂ）と（Ｃ）でも、図６（Ａ）と同様に、データ６４におけるデータＤ１の指す値の表示態様は他のデータの表示態様とは異なる。
【００５８】
したがって、データ６４のデータＤ１に対応の値（‘月’を指す値）の表示態様を他のそれとは異ならせることで、被測定者に対して、データ６４が示す月において測定されたデータのうち、最近に（その月の最後に）測定して得られた血圧データと脈拍数データが表示されていることを報知できる。
【００５９】
図６（Ｃ）の表示状態で、日更新スイッチ２４が操作されると、レコードＲ８に基づき表示部２には図６（Ｄ）のように表示される。表示制御部２４１は、時間データＴに対応のデータ６４は、与えられる操作信号２５２が、日更新スイッチ２４が操作されたことを指示していることに基づき、表示部２のデータＤ２の指す値の表示態様を他のデータの表示態様とは異ならせる。たとえば、ブリンク表示などする。
【００６０】
つづいて、日更新スイッチ２４が操作される毎に、レコードＲ８→Ｒ９→Ｒ１０と順にメモリ１３から読出されて、表示部２では図６（Ｄ）→図６（Ｅ）→図６（Ｆ）と変化する。図６（Ｅ）と（Ｆ）でも、図６（Ｄ）と同様に、データ６４におけるデータＤ２の指す値の表示態様は他のデータの表示態様とは異なる。
【００６１】
したがって、データ６４のデータＤ２に対応の値（‘日’を指す値）の表示態様を他のそれとは異ならせることで、被測定者に対して、データ６４が示す月日において測定されたデータのうち、最近に（その日の最後に）測定して得られた血圧データと脈拍数データが表示されていることを報知できる。
【００６２】
図６（Ｆ）の表示状態で、個別スイッチ２５が操作されると、レコードＲ１０に基づき表示部２には図６（Ｇ）のように表示される。表示制御部２４１は、時間データＴに対応のデータ６４は、与えられる操作信号２５２が、個別スイッチ２５が操作されたことを指示していることに基づき、表示部２のデータ６４で示すデータＤ３とＤ４の指す値の表示態様を他のデータの表示態様とは異ならせる。たとえば、ブリンク表示などする。
【００６３】
つづいて、個別スイッチ２５が操作される毎に、レコードＲ１０→Ｒ１１→Ｒ１２と順にメモリ１３から読出されて、表示部２では図６（Ｇ）→図６（Ｈ）→図６（Ｉ）と変化する。図６（Ｈ）と（Ｉ）でも、図６（Ｇ）と同様に、データ６４におけるデータＤ３とＤ４の指す値の表示態様は他のデータの表示態様とは異なる。
【００６４】
したがって、データ６４のデータＤ３とＤ４に対応の値（‘時分’を指す値）の表示態様を他のそれとは異ならせることで、被測定者に対して、ある１日における測定時間が異なる血圧データと脈拍数データが表示されていることを報知することができる。
【００６５】
このように、メモリ１３に格納された血圧測定データの呼出スイッチとして月更新スイッチ２３、日更新スイッチ２４および個別スイッチ２５を備えることにより、所望日付の測定データを呼出す場合、従来のように、メモリ１３に格納された測定データを単に最新データから過去のデータへと順番に検索して表示していくのではなく、月更新スイッチ２３の操作毎に月毎の代表の測定データおよび日更新スイッチ２４の操作毎に日毎の代表（最新・最近）の測定データをメモリ１３から呼出すことが可能となる。その結果、メモリ１３に格納された多量の測定データのうちから、所望する測定時間のデータを容易に呼出すことができる。
【００６６】
（実施の形態２）
実施の形態２では図７に示される電子血圧計１が用いられる。図７の電子血圧計１と図２の電子血圧計１とを比較し異なる点は、操作部４において、図２の月更新スイッチ２３、日更新スイッチ２４および個別スイッチ２５に代替して、設定スイッチ２６および更新スイッチ２７を設けた点と内蔵するＣＰＵの内部メモリ（図示せず）にフラグＦ１を設けた点にある。その他の構成は図２のそれと同様なので説明は略す。
【００６７】
図８には本実施の形態に係る電子血圧計１の機能構成が示される。図８の機能構成と実施の形態１の図４の機能構成とを比較し異なる点は、図４の記憶操作部２２１が記憶操作部２２２に代替された点にある。その他は図４のそれと同じである。記憶操作部２２２は、設定スイッチ２６と更新スイッチ２７を含む。設定スイッチ２６または更新スイッチ２７が操作されると、操作されたスイッチを指示する操作信号２５２が出力される。
【００６８】
フラグＦ１はＣＰＵ１６の内部メモリ（図示せず）に格納されており、メモリ読出部２３１と表示制御部２４１により参照される、メモリ読出部２３１と表示制御部２４１の動作モードを指示するフラグである。図８では説明のためにフラグＦ１はメモリ読出部２３１と表示制御部２４１に格納されるように示されている。フラグＦ１は電子血圧計１の電源をＯＦＦしても、その値を保持する。フラグＦ１は設定スイッチ２６の操作毎に、操作信号２５２に従い、メモリ読出部２３１と表示制御部２４１により、動作モードを、月単位での測定データの読出モード、日単位での測定データの読出モードおよび時分単位での測定データの読出モードを指示する値に順次に書換えられる。
【００６９】
図９（Ａ）〜（Ｉ）には、本実施の形態２に係るメモリ１３からの測定データの呼出に伴う表示の変化が示される。表示部２にはデータが表示されていない状態において、まず設定スイッチ２６を１回操作すると、操作信号２５２に基づきフラグＦ１は、月単位での測定データの読出モードの値に設定される。メモリ読出部２３１は、記憶操作部２２２から与えられる操作信号２５２に基づきメモリ１３を検索して、データＤ１が最新の月を指示するレコードＲｉのうち最新の時間を指示する時間データＴを有するレコードＲｉを検索して読出して、表示制御部２４１に与える。表示制御部２４１は与えられるレコードＲｉを表示部２に表示する。このとき、表示される時間データＴに対応のデータ６４は、表示制御部２４１が参照するフラグＦ１の値に基づき、データＤ１が他とは異なる態様で表示される。たとえば、ブリンク表示される。
【００７０】
その後、更新スイッチ２７を操作する毎に、実施の形態１において月更新スイッチ２３が操作されるのと同様にレコードＲ１→Ｒ４→Ｒ８と順に呼出されるので、表示部２の表示は図９（Ａ）→図９（Ｂ）→図９（Ｃ）のように変化する。図９（Ｂ）および図９（Ｃ）では、表示制御部２４１は、月単位での測定データの読出モードで更新スイッチ２７が操作されたことを指示する操作信号２５２に基づき、データ６４のうちのデータＤ１を指す値を、他とは異なる態様で表示する。
【００７１】
図９（Ｃ）の表示状態で、再度、設定スイッチ２６が操作されると、操作信号２５２に基づき、フラグＦ１は日単位での測定データの読出モードを示す値に更新される。このとき、メモリ読出部２３１は、フラグＦ１の値に基づきメモリ１３を検索して、表示部２に表示されているレコードＲ８のデータＤ１が示す月を指示するデータＤ１を有する１つ以上のレコードＲｉのうち最新の日を指示するデータＤ１とＤ２を有するレコードＲｉを検索して読出して、表示制御部２４１に与える。表示制御部２４１は与えられるレコードＲｉを表示部２に図９（Ｄ）のように表示する。このとき、表示される時間データＴに対応のデータ６４は、表示制御部２４１が参照するフラグＦ１の値に基づき、データＤ２が他とは異なる態様で表示される。たとえば、ブリンク表示される。
【００７２】
その後、更新スイッチ２７を操作する毎に、実施の形態１において日更新スイッチ２４が操作されるのと同様にレコードＲ９→Ｒ１０と順に呼出されるので、表示部２の表示（図９（Ｄ））は、図９（Ｅ）→図９（Ｆ）のように変化する。図９（Ｄ）、図９（Ｅ）および図９（Ｆ）では、表示制御部２４１は、日単位での測定データの読出モードで更新スイッチ２７が操作されたことを指示する操作信号２５２に基づき、データ６４のうちのデータＤ２を指す値を、他とは異なる態様で表示する。
【００７３】
図９（Ｆ）の表示状態で、再度、設定スイッチ２６が操作されると、操作信号２５２に基づき、フラグＦ１は同日内の時分単位での測定データの読出モードを示す値に更新される。このとき、メモリ読出部２３１は、フラグＦ１の値に基づきメモリ１３を検索して、表示部２に表示されているレコードＲ１０のデータＤ１とＤ２が示す月日を指示するデータＤ１とＤ２を有する１つ以上のレコードＲｉのうち最新の時分を指示するデータＤ３とＤ４を有するレコードＲｉを検索して読出して、表示制御部２４１に与える。表示制御部２４１は与えられるレコードＲｉを表示部２に図９（Ｇ）のように表示する。このとき、表示される時間データＴに対応のデータ６４は、データＤ３とＤ４を示し、これらデータは、表示制御部２４１が参照するフラグＦ１の値に基づき、他と異なる態様で表示される。たとえば、ブリンク表示される。
【００７４】
その後、更新スイッチ２７が操作される毎に、実施の形態１において個別スイッチ２５が操作されるのと同様にレコードＲ１０→Ｒ１１→Ｒ１２と順に呼出されるので、表示部２の表示（図９（Ｇ））は、図９（Ｈ）→図９（Ｉ）のように変化する。図９（Ｇ）、図９（Ｈ）および図９（Ｉ）では、表示制御部２４１は、同日内の時分単位での測定データの読出モードで更新スイッチ２７が操作されたことを指示する操作信号２５２に基づき、データ６４が指示するデータＤ３とＤ４を指す値を、他とは異なる態様で表示する。
【００７５】
その後、設定スイッチ２６が操作されると、フラグＦ１は月毎の測定データの読出モードを指示する値に更新されるので、前述と同様に月毎の代表の血圧測定データが呼出される。
【００７６】
なお、設定スイッチ２６および更新スイッチ２７はロータリスイッチなどを使用してもよい。
【００７７】
本実施の形態２のように、実施の形態１の月更新スイッチ２３、日更新スイッチ２４および個別スイッチ２５に代替して設定スイッチ２６と更新スイッチ２７を備えた場合であっても、所望日付の測定データを呼出す場合、従来のように、メモリ１３に格納された測定データを単に最新データから過去のデータへと順番に検索して表示していくのではなく、設定スイッチ２６と更新スイッチ２７とを操作する毎に、月毎の代表の測定データ、日毎の代表の測定データおよびある日の時分単位での測定データをメモリ１３から呼出すことが可能となる。その結果、メモリ１３に格納された多量の測定データのうちから、所望する測定時間のデータを容易かつ速やかに呼出すことができる。
【００７８】
（実施の形態３）
図１０には、実施の形態３による電子血圧計１の外観が示される。本実施の形態に係る電子血圧計１は操作部４として電源スイッチ２０と測定スイッチ２１を備えて、表示部４にはカレンダー４０と測定データ（レコードＲｉのデータ）を表示することができる。
【００７９】
被測定者は表示されたカレンダー４０において所望の月日を指定するための操作をすると、指定された月日を指す操作信号２５２がメモリ読出部２３１に与えられるので、メモリ読出部２３１は操作信号２５２が指示する月日を指す時間データＴを有する１つ以上のレコードＲｉをメモリ１３から検索して読出し、表示制御部２４１に出力する。したがって、表示制御部２４１により表示部２には読出されたレコードＲｉの測定データが表示される。
【００８０】
具体的には、カレンダー４０と同一画面に、読出されたレコードＲｉの時間データＴの月日時分を示すデータ６４、最高血圧データＳＢＰに対応のデータ６１、最低血圧データＤＢＰに対応のデータ６２および脈拍数データＰＬＳに対応のデータ６３が表示される。
【００８１】
カレンダー４０における月日の指定は、たとえば表示部２がタッチパネルになっており指などで触れると指定することができる。または、十字スイッチやロータリスイッチ等が操作部４に搭載されており、これらスイッチを操作することでカレンダー４０上のカーソル等を移動させて所望の月日を指定するとしてもよい。
【００８２】
図１１には、本実施の形態３に係る電子血圧計１の機能構成が示される。図４の機能構成と比較し異なる点は、記憶操作部２２１に代替して記憶操作部２２３を設けた点にある。その他の構成は図４のそれと同じである。
【００８３】
記憶操作部２２３は、記憶呼出スイッチ２８およびカレンダー指定部２９を備える。記憶呼出スイッチ２８およびカレンダー指定部２９は、表示部２と一体的に構成されており、表示制御部２４１により表示部２にカレンダー４０が表示されて前述したタッチパネルの操作により被測定者がカレンダー４０上の所望の日付の指定（カレンダー指定部２９による指定）をし、記憶呼出スイッチ２８を操作すると、操作内容を、すなわち指定された日付を指示する操作信号２５２がメモリ読出部２３１に与えられる。メモリ読出部２３１は、与えられる操作信号２５２が指示する日付に基づきメモリ１３を検索して、当該日付を示す時間データＴを格納した１つ以上のレコードＲｉのうち、最新（最近）の時間を示すデータＴを格納したレコードＲｉを検索して読出し、表示制御部２４１に与える。表示制御部２４１は与えられたレコードＲｉに基づき表示部２に図１０のようにデータを表示する。
【００８４】
ここでは、カレンダー４０で月日を指定したが、カレンダーで月のみを指定して、指定された月の代表の測定データを呼出すようにしてもよい。
【００８５】
カレンダー４０を表示するためのデータは、ＣＰＵ１６が作成してもよく、または予めメモリ１３の所定記憶領域に格納されており、それを読出して表示部２に表示するとしてもよい。
【００８６】
各実施の形態では、操作信号２５２が指示する時間（月、日）に該当の時間データＴと関連付けされた血圧測定データ（最高血圧データＳＢＰ、最低血圧データＤＢＰ、脈拍数データＰＬＳ）が複数個であった場合には、すなわち該当の時間データＴを有するレコードＲｉが複数個であった場合には、最近（最新：最後にメモリ１３に格納された）の時間を示す時間データＴと関連付けされた血圧測定データを、複数の血圧測定データを代表するデータとして検索し読出しているが、代表するデータは、最近の測定データに限定されない。たとえば、最高血圧データＳＢＰの値が最大である測定データ（レコードＲｉ）を代表するデータとしてもよく、最高血圧データＳＢＰの中央の値を指す測定データ（レコードＲｉ）を代表するデータとしてもよい。
【００８７】
なお、メモリ１３の構成は、図３に示したものに限定されない。たとえば、メモリ１３には月毎に記憶領域を別個に設けるようにする。測定時にこれら別個に設けられた領域に血圧値、脈波数、日時のデータを格納したレコードＲｉが記録されるようにしてもよい。そして、計時データ２５１に基づき月が更新されたと判定される毎に、メモリ１３の空き領域の先頭から次の月の測定データを格納するためのメモリ領域が確保されるようにする。このようにすれば、必要に応じて測定データ格納のための領域が確保されるので、限られたメモリ容量で効率よく大量の測定データを記録することができる。
【００８８】
上述した各実施の形態によれば、メモリ１３の格納された大量の血圧測定データ（レコードＲｉ）のうちから、複雑な操作または多数回の繰返し操作をせずとも、簡単な操作で、速やかに特定（所望）の測定時間における測定データを呼出すことができるので、血圧管理のための操作性に優れる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】各実施の形態に係る電子血圧計のハードウェア構成図である。
【図２】実施の形態１に係る電子血圧計の概観図である。
【図３】各実施の形態に係る電子血圧計の測定データ格納例を示す図である。
【図４】実施の形態１に係る電子血圧計の機能構成図である。
【図５】各実施の形態に係る血圧測定手順を示すフローチャートである。
【図６】（Ａ）〜（Ｉ）は実施の形態１に係る表示例を示す図である。
【図７】実施の形態２に係る電子血圧計の概観図である。
【図８】実施の形態２に係る電子血圧計の機能構成図である。
【図９】（Ａ）〜（Ｉ）は実施の形態２に係る表示例を示す図である。
【図１０】実施の形態３に係る電子血圧計の概観図である。
【図１１】実施の形態３に係る電子血圧計の機能構成図である。
【符号の説明】
【００９１】
１  電子血圧計、２  表示部、４  操作部、１３  メモリ、１６  ＣＰＵ、２０１  血圧算出部、２１１  メモリ格納部、２２１，２２２，２２３  記憶操作部、２３１  メモリ読出部、２４１  表示制御部、２５１  計時データ、２５２  操作信号、Ｆ１  フラグ。
【図１】
2007130069.tif 000003
【図２】
2007130069.tif 000004
【図３】
2007130069.tif 000005
【図４】
2007130069.tif 000006
【図５】
2007130069.tif 000007
【図６】
2007130069.tif 000008
【図７】
2007130069.tif 000009
【図８】
2007130069.tif 000010
【図９】
2007130069.tif 000011
【図１０】
2007130069.tif 000012
【図１１】
2007130069.tif 000013